(57)【要約】  【課題】    GPSモジュールの導入により、その対応して接続される無線通信装置を改造する必要なく、測位機能を用いた応用をすることができ、且つ、ディスプレイにより使用者に所在地の周辺情報を提供する、無線通信装置用のマイクロフォンセットの提供。 【解決手段】    本考案の無線通信装置用のマイクロフォンセットは、少なくとも、マイクロフォン本体と、このマイクロフォン本体を無線通信装置に接続するための接続プラグと、マイクロフォン本体に接続され、押されるとマイクロフォン本体により音声信号を受信し、且つ、その音声信号を無線通信装置に伝送する制御ボタンと、この制御ボタンに接続され、該制御ボタンが押されると測位信号を取得するGPSモジュールと、このGPSモジュールに接続され、その測位信号を表示するディスプレイとを含む。  【選択図】    図２ 
0003115589.tif 000002
【実用新案登録請求の範囲】
【請求項１】
無線通信装置用のマイクロフォンセットであって、少なくとも、マイクロフォン本体と、該マイクロフォン本体を該無線通信装置に接続するの接続プラグと、該マイクロフォン本体に接続され、押されると音声信号を該無線通信装置に伝送する発話制御ボタンと、該マイクロフォン本体上に設置され、該発話制御ボタンが押されると測位信号を生成するGPSモジュールと、該GPSモジュールに接続され、該測位信号を表示するディスプレイとを含む無線通信装置用マイクロフォンセット。
【請求項２】
前記マイクロフォンがさらに、該GPSモジュール及び該ディスプレイに接続し、独立した電源を提供する電源セットを含む請求項１に記載の無線通信装置用マイクロフォンセット。
【請求項３】
前記ディスプレイが液晶ディスプレイである請求項１に記載の無線通信装置用マイクロフォンセット。
【請求項４】
前記マイクロフォン本体及び該接続プラグ間にさらに延長コードを含む請求項１に記載の無線通信装置用マイクロフォンセット。
【請求項５】
無線通信装置用のマイクロフォンシステムであって、複数のマイクロフォンセットと遠端位置統合システムを含み、そのうち、該マイクロフォンセットが、マイクロフォン本体と、該マイクロフォン本体を該無線通信装置に接続するの接続プラグと、設置於該マイクロフォン本体上に設置され、測位信号を生成するGPSモジュールと、該GPSモジュールに接続され、該測位信号を発信し伝送するトランスミッタと、ディスプレイと、該ディスプレイに接続された近端受信器とを含み、該遠端位置統合システムが周辺情報を生成するために用いられ、その構造が該遠端位置統合システム内に設置され、該マイクロフォンセットの該測位信号をそれぞれ受信し、該マイクロフォンセットの所在位置を取得して該周辺情報を生成する測位信号受信器と、該遠端位置統合システム内に設置され、該周辺情報を各該マイクロフォンセットの近端受信器に発信する発信器とを含み、該ディスプレイを介して該周辺情報を表示する無線通信装置用マイクロフォンシステム。
【請求項６】
前記マイクロフォンシステムがさらに、該GPSモジュールに接続され、該GPSモジュールを制御して該測位信号を生成させる測位制御ボタンを含む請求項５に記載の無線通信装置用マイクロフォンシステム。
【請求項７】
前記マイクロフォンシステムがさらに、該マイクロフォン本体に接続され、押されると音声信号を該無線通信装置に伝送する発話制御ボタンを含む請求項５に記載の無線通信装置用マイクロフォンシステム。
【考案の詳細な説明】
【技術分野】
【０００１】
本考案はマイクロフォンの構造に関し、詳細には、無線通信装置に応用するマイクロフォンセットの構造に関する。
【背景技術】
【０００２】
一般的に、無線通信装置は音声信号の発信と受信に用いられる。従来の無線通信装置は少なくとも、発信器、受信器、マイクロフォン、スピーカ、アンテナ、電源セットを含み、図１に示すように、この無線通信装置１は、マイクロフォン１１、スピーカ１２、アンテナ１３、電源セット１４を含んでおり、その内部に発信器と受信器(図中未表示)を備え、情報の伝送と受信を行う。また、手持ち式の無線通信装置はほとんどが電池を電源としており、自動車用無線通信装置はほとんどが自動車により提供される電源を使用している。
【０００３】
使用者がマイクロフォンに向かって発話すると、その音声信号が電子信号に変換される。この信号を発信器による処理を経て増幅して無線信号とし、さらにアンテナへ伝送してアンテナからこの無線信号を空中へと発信する。受信側のアンテナはこの無線信号を受信して、この信号を受信器へと伝送する。受信器はこの無線信号を元の音声に変換して無線通信装置のスピーカから出力し、このとき使用者は元の情報を聞くことができる。
【０００４】
しかしながら、実際の使用時には、無線通信装置そのものの体積と重量が大きく握持や移動がしにくいため、より便利に操作と使用ができるよう、一般的な無線通信装置には図１に示すように延長マイクロフォン２が設置される。この延長マイクロフォン２の構造は、制御ボタン２１、延長コード２２、接続プラグ２３、マイクロフォン２４、スピーカ２５を含む。この接続プラグ２３と無線通信装置１本体の接続孔１５を接続すると使用することができる。しかし、従来の延長マイクロフォン２は、単純に操作上の利便性を提供するのみで、その他付加的機能は提供していない。
【０００５】
別の面では、１９９３年以降、ＧＰＳ（Global Positioning System：全地球測位システム）が大量に自動車の衛星ナビゲーションシステム上に応用されるようになっているが、無線通信システムとは異なり、ＧＰＳは複数の人工衛星が発する電波を利用して経度と緯度を見つけ、現在の所在地を知るものであり、アメリカ国防省が開発したシステムで、これまでにすでに一般的商業及び民間での使用に開放されている。システム全体はGPS測位衛星、地上制御及び受信器の三つの部分から構成され、GPS測位システムは６つの軌道に分けられた２４の衛星から構成され、地上２０２００キロの高空で運行し、１２時間で地球を一周する。各衛星軌道データと時間データの無線電波を介して受信器が受信して解読し、座標情報に変換する。地上制御部分は、GPS衛星の運転を追跡・制御し、衛星の正常な運転時の変数データを修正して地上の受信器が受信する位置情報が常に正確であるようにする。受信器は３つ以上の衛星の測位データを利用し、三角測量で現在受信器が位置する場所の座標を算出し、さらにアプリケーションソフトウェアを組み合わせ、受信器の移動速度及び時間等を推算することができる。天気が良ければ、４つ以上の衛星信号を受信し、受信器のより正確な位置を算出することができる。しかしながら、通信システムに制限され、従来の無線通信装置はこのような測位サービスを提供することはできない。
【０００６】
従来の無線通信装置がその通信システムの制限を受け、測位サービスを提供することができないという問題に鑑みて、本考案は考案者の関連事業における長年の経験に基づく、根気強い研究開発の末ついに開発された、無線通信装置用のマイクロフォンを提供するものである。このマイクロフォンの導入により、一般的な無線通信装置で測位サービスを提供することができ、無線通信装置を分解する必要なく、測位モジュールを設置することができる。
【考案の開示】
【考案が解決しようとする課題】
【０００７】
ここではまず本考案のいくつかの特徴について述べ、その他特徴は後続の段落において説明する。本考案は添付の実用新案登録請求の範囲により定義され、以下の段落は併せて参考とすることができる。
【０００８】
本考案の第一の目的は、GPSモジュールの導入により、その対応して接続される無線通信装置を改造する必要なく、測位機能を用いた応用をすることができ、且つ、ディスプレイにより使用者に所在地の周辺情報を提供する、無線通信装置用のマイクロフォンセットを提供することにある。
【０００９】
本考案の第二の目的は、GPSモジュール及び遠端位置統合システムの導入により、その対応して接続された該無線通信装置を改造する必要なく、測位機能を用いた応用をすることができ、且つ、ディスプレイにより使用者に所在地の周辺情報を提供する、無線通信装置用のマイクロフォンシステムを提供することにある。
【課題を解決するための手段】
【００１０】
上述の第一の目的を達するため、本考案の無線通信装置用のマイクロフォンセットは、少なくとも、マイクロフォン本体と、このマイクロフォン本体を無線通信装置に接続するための接続プラグと、マイクロフォン本体に接続され、押されるとマイクロフォン本体により音声信号を受信し、且つ、その音声信号を無線通信装置に伝送する制御ボタンと、この制御ボタンに接続され、該制御ボタンが押されると測位信号を取得するGPSモジュールと、このGPSモジュールに接続され、その測位信号を表示するディスプレイとを含む。
【００１１】
上述の構想に基づき、そのうち、該測位信号は情報パケットであり、該マイクロフォンセットはさらに該GPSモジュール及び該ディスプレイに接続され、独立した電源を提供する電源セットと、該接続プラグに接続され、該無線通信装置から伝送される受信情報を受信して出力するスピーカとを含み、該ディスプレイは液晶ディスプレイであり、該マイクロフォン本体及び該接続プラグ間にさらに延長コードが設置される。
【００１２】
上述の第一の目的を達するため、本考案のさらに別の無線通信装置用のマイクロフォンセットは、少なくとも、マイクロフォン本体と、このマイクロフォン本体を無線通信装置に接続するための接続プラグと、該マイクロフォン本体上に設置され、測位信号を生成することができるGPSモジュールと、このGPSモジュールに接続され、その測位信号を表示するディスプレイとを含む。
【００１３】
上述の構想に基づき、そのうち、該測位信号は情報パケットであり、該マイクロフォンセットはさらに該GPSモジュール及び該ディスプレイに接続され、独立した電源を提供する電源セットと、該接続プラグに接続され、該無線通信装置から伝送される受信情報を受信して出力するスピーカとを含み、該ディスプレイは液晶ディスプレイであり、該マイクロフォン本体及び該接続プラグ間にさらに延長コードが設置される。
【００１４】
上述の第二の目的を達するため、本考案の無線通信装置用のマイクロフォンシステムは、少なくとも１つのマイクロフォンセットと遠端位置統合システムを含み、該マイクロフォンセットは、マイクロフォン本体と、このマイクロフォン本体を無線通信装置に接続するための接続プラグと、マイクロフォン本体に接続され、押されるとマイクロフォン本体により音声信号を受信し、且つ、その音声信号を無線通信装置に伝送する制御ボタンと、この制御ボタンに接続され、該制御ボタンが押されると測位信号を取得するGPSモジュールと、このGPSモジュールに接続され、その測位信号を発信し伝送するトランスミッタと、ディスプレイと、このディスプレイに接続された近端受信器を含み、該遠端位置統合システムは周辺情報を生成するために用いられ、その構造は、該遠端位置統合システム内に設置され、該マイクロフォンセットの該測位信号をそれぞれ受信し、該マイクロフォンセットの所在位置を取得して該周辺情報を生成する測位信号受信器と、該遠端位置統合システム内に設置され、該周辺情報を各該マイクロフォンセットの近端受信器に発信する発信器を含み、該ディスプレイを介して該周辺情報を表示させる。
【００１５】
上述の構想に基づき、そのうちの該音声信号はアナログ式信号であり、該測位信号は情報パケットであり、該周辺情報は情報パケットであり、該マイクロフォンシステムはさらに該GPSモジュール、トランスミッタ、近端受信器及び該ディスプレイに接続され、独立した電源を提供する電源セットを含み、該電源セットが電池であり、該ディスプレイが液晶ディスプレイであり、該マイクロフォン本体及び該接続プラグ間に更に延長コードが設置される。
【００１６】
上述の第二の目的を達するため、本考案の別の無線通信装置用のマイクロフォンシステムは、複数のマイクロフォンセットと、遠端位置統合システムを含み、そのうち、このマイクロフォンセットはマイクロフォン本体と、このマイクロフォン本体を無線通信装置に接続するための接続プラグと、このマイクロフォン本体上に設置され、測位信号を生成するGPSモジュールと、このGPSモジュールに接続され、その測位信号を発信し伝送するトランスミッタと、ディスプレイと、このディスプレイに接続された近端受信器とを含み、該遠端位置統合システムは周辺情報を生成するために用いられ、その構造は、該遠端位置統合システム内に設置され、該マイクロフォンセットの該測位信号をそれぞれ受信し、該マイクロフォンセットの所在位置を取得する測位信号受信器と、該遠端位置統合システム内に設置され、該周辺情報を各該マイクロフォンセットの近端受信器に発信する発信器を含み、該ディスプレイを介して該周辺情報を表示させる。
【００１７】
上述の構想に基づき、該マイクロフォンシステムは、さらに該GPSモジュールに接続され、該GPSモジュールを制御し、該測位信号を生成させる測位制御ボタンと、該マイクロフォン本体に接続され、押されると該マイクロフォン本体が音声信号を受信し、この音声信号を該無線通信装置に伝送する発話制御ボタンを含み、且つ、該音声信号はアナログ式信号であり、該測位信号は情報パケットであり、該周辺情報は情報パケットであり、該マイクロフォンシステムがさらに、該GPSモジュール、トランスミッタ、近端受信器及び該ディスプレイに接続され、独立した電源を提供する電源セットを含み、該電源セットが電池であり、該ディスプレイが液晶ディスプレイであり、該マイクロフォン本体及び該接続プラグ間に更に延長コードが設置される。
【００１８】
本考案は以上で述べた実施例に制限されないものとする。本考案のその他特徴は以下で述べる。本考案は、添付の実用新案登録請求の範囲により定義される。  
【考案を実施するための最良の形態】
【００１９】
本段落で述べる実施例は本考案を説明するためのものであり、本考案を制限するものではない。本考案は特殊な材料、処理手順、寸法を制限しない。本考案は添付の実用新案登録請求の範囲により定義される。
【００２０】
本考案は、無線通信装置用のマイクロフォンシステムであり、以下の実施例は簡単なディスプレイを備えたマイクロフォンの構造で本考案マイクロフォンシステムの応用を説明するが、本考案の技術を応用できるマイクロフォンは、本考案が挙げる実施例のみに限らない。以下で述べる技術的特徴を適用したあらゆるマイクロフォンシステムはすべて参考にすることができる。本考案はGPSモジュール及びディスプレイの導入により、対応して接続された無線通信装置を改造する必要なく、測位機能を実行することができ、且つ、各単一のマイクロフォンの全体構造は美観と実用性を兼ね備え、製造しやすく、且つ、操作者による調整とメンテナンスに便利であり、数々の利点を備えた創作である。
【実施例１】
【００２１】
図２及び図３に示すように、本考案の実施例１のマイクロフォンセット３は、無線通信装置１に応用され、その構造は少なくとも、マイクロフォン本体３１と、該マイクロフォン本体３１を該無線通信装置１に接続するための接続プラグ３２と、該マイクロフォン本体３１に接続され、押されると該マイクロフォン本体３１が音声信号５１を受信し、その音声信号５１を該無線通信装置１に伝送する制御ボタン３３と、該制御ボタン３３に接続され、該制御ボタン３３が押されると測位信号５２を取得するGPSモジュール３４と、該GPSモジュール３４に接続され、該GPSモジュールが生成する該測位信号５２を受信して表示し、使用者に現在の位置とその周辺環境の情報を知らせるディスプレイ３５と、を含む。そのうち、該測位信号５２は情報パケットであり、該ディスプレイ３５は液晶ディスプレイであり、該測位信号５２を文字または図で表示することができる。
【００２２】
実際の応用においては、該マイクロフォンセット３はさらに、該接続プラグ３２に接続され、該無線通信装置１が送り返す受信信号(図中未表示)を受信して出力するスピーカ３９を含む。当然、該マイクロフォン本体３１及び該接続プラグ３２間には延長コード３２１が設置される。
【実施例２】
【００２３】
図４に本考案の実施例２におけるマイクロフォンセット３のブロック図を示す。この図に示すように、その構造は少なくとも、マイクロフォン本体３１と、該マイクロフォン本体３１を該無線通信装置１に接続するための接続プラグ３２と、該マイクロフォン本体３１上に設置され、測位信号５２を生成するGPSモジュール３４と、該GPSモジュール３４に接続され、該GPSモジュールが生成する該測位信号５２を受信して表示し、使用者に現在の位置とその周辺環境の情報を知らせるディスプレイ３５と、を含む。そのうち、該測位信号５２は情報パケットであり、該ディスプレイ３５は液晶ディスプレイであり、該測位信号５２を文字または図で表示することができる。実際の応用においては、該マイクロフォンセット３はさらに、該GPSモジュール３４及び該ディスプレイ３５に接続され、独立した電源を提供する電源セット３６を含み、該電源セット３６は電池とすることができる。    
【実施例３】
【００２４】
本考案のさらに別の目的は、無線通信装置用のマイクロフォンシステムを提供することにあり、GPSモジュール及び遠端位置統合システムの導入により、その対応して接続された該無線通信装置を改造する必要なく、測位機能を応用し、ディスプレイを介して使用者に所在地の周辺情報を提供することができる。このため、図５に示すように、本考案の実施例３の無線通信装置用マイクロフォンシステムは、少なくとも１つのマイクロフォンセット３及び遠端位置統合システム４を含む。そのうち、該マイクロフォンセット３は少なくとも１つのマイクロフォン本体３１と、該マイクロフォン本体３１を無線通信装置１に接続する接続プラグ３２と、該マイクロフォン本体３１に接続され、押されると該マイクロフォン本体３１が音声信号５１を受信し、その音声信号５１を該無線通信装置１に伝送する制御ボタン３３と、該制御ボタン３３に接続され、該制御ボタン３３が押されると測位信号５２を取得するGPSモジュール３４と、該GPSモジュール３４に接続され、該測位信号５２を発信し伝送するトランスミッタ３７と、ディスプレイ３５と、該ディスプレイ３４に接続された近端受信器３８を含む。また、周辺情報５３を生成する該遠端位置統合システム４は、該遠端位置統合システム４内に設置され、該マイクロフォンセット３の該測位信号５２をそれぞれ受信し、該マイクロフォンセットの所在位置を取得して該周辺情報５３を生成する測位信号受信器４１と、該遠端位置統合システム４内に設置され、該周辺情報５３を各マイクロフォンセット３の近端受信器３８へ発信する発信器４２を含み、該ディスプレイ３５を介して該周辺情報５３を表示する。
【実施例４】
【００２５】
図６と図７に本考案の実施例４の無線通信装置用マイクロフォンシステムを示す。これらの図に示すように、このマイクロフォンシステムは、複数のマイクロフォンセット３と遠端位置統合システム４を含み、そのうち、該マイクロフォンセット３は、マイクロフォン本体３１と、該マイクロフォン本体３１を無線通信装置１に接続する接続プラグ３２と、該マイクロフォン本体３１上に設置され、測位信号５２を取得するGPSモジュール３４と、該GPSモジュール３４に接続され、該測位信号５２を発信し伝送するトランスミッタ３７と、ディスプレイ３５と、該ディスプレイ３４に接続された近端受信器３８を含む。周辺情報５３を生成する該遠端位置統合システム４は、該遠端位置統合システム４内に設置され、該マイクロフォンセット３の該測位信号５２をそれぞれ受信し、該マイクロフォンセットの所在位置を取得して該周辺情報５３を生成する測位信号受信器４１と、該遠端位置統合システム４内に設置され、該周辺情報５３を各マイクロフォンセット３の近端受信器３８へ発信する発信器４２を含み、該ディスプレイ３５を介して該周辺情報５３を表示し、各該マイクロフォンセット３の使用者にその所在位置と周辺環境の情報を提供し、他の使用者の所在と相対的位置を効果的に把握させることができる。そのうち、該ディスプレイ３５は液晶ディスプレイとすることができ、該周辺情報５３を文字または図で表示することができる。
【００２６】
実際の応用においては、該マイクロフォンシステムはさらに、該マイクロフォン本体３１に接続され、押されると該マイクロフォン本体３１に音声信号５１を受信させ、該音声信号５１を該無線通信装置１に伝送させる発話制御ボタン３３１を含む。当然、該マイクロフォンシステムはさらに、該GPSモジュール３４に接続され、該GPSモジュール３４を制御して該測位信号５２を生成させる測位制御ボタン３３２を含む。また、該GPSモジュール３４、トランスミッタ３７、近端受信器３８及び該ディスプレイ３５は独立した電源を提供する電源セット３６に接続することができる。該電源セット３６と該無線通信装置１はそれぞれ独立しており、該無線通信装置１が故障または電源不足に陥っても、該GPSモジュール３４、トランスミッタ３７、近端受信器３８及び該ディスプレイ３５等は動作することができ、該マイクロフォンセット３は必要な測位サービスを提供し続けることができる。
【００２７】
上述のように、本考案は無線通信装置用のマイクロフォンシステムを提供し、個別のGPSモジュール及びディスプレイの導入に、遠端位置統合システムを組み合わせることで、その個別に対応して接続された該無線通信装置を改造する必要なく、機能を向上することができ、測位の応用を行うことができる。
【００２８】
本考案について上述の実施例により詳細に説明してきたが、関連技術を熟知した人物によるいかなる変化や修飾もすべて添付の実用新案登録請求の範囲の要旨を逸脱しないものとみなす。
【図面の簡単な説明】
【００２９】
【図１】従来の無線通信装置及び延長マイクロフォン装置を示す立体外観図である。
【図２】本考案の無線通信装置用のマイクロフォン装置を示す立体外観図及び透視図である。
【図３】本考案の実施例１のマイクロフォンセットを示すブロック図である。
【図４】本考案の実施例２のマイクロフォンセットを示すブロック図である。
【図５】本考案の実施例３のマイクロフォンシステムを示すブロック図である。
【図６】本考案の実施例４のマイクロフォンシステムを示すブロック図である。
【図７】本考案の実施例４のマイクロフォンシステムの動作概念を示す模式図である。
【符号の説明】
【００３０】
１        無線通信装置                            
１１      マイクロフォン
１２      スピーカ                                                             
１３      アンテナ
１４      電池セット                                                          
１５      接続孔
２        延長マイクロフォン                                     
２１      制御ボタン
２２      延長接続コード                             
２３      接続プラグ
２４      マイクロフォン     
２５      スピーカ
３        マイクロフォンセット
３１      マイクロフォン本体                                  
３２      接続プラグ
３２１    延長コード                                                         
３３      制御ボタン
３３１    発話制御ボタン                             
３３２    測位制御ボタン
３４      GPSモジュール              
３５      ディスプレイ
３６      電源セット                                                          
３７      トランスミッタ
３８      近端受信器                                           
３９      スピーカ
４        遠端位置統合システム                
４１      測位信号受信器
４２      発信器                                                  
５１      音声信号
５２      測位信号                                               
５３      周辺情報
【図１】
0003115589.tif 000003
【図２】
0003115589.tif 000004
【図３】
0003115589.tif 000005
【図４】
0003115589.tif 000006
【図５】
0003115589.tif 000007
【図６】
0003115589.tif 000008
【図７】
0003115589.tif 000009